(57)【要約】【課題】釘の頭部の付け根部分にフィレット加工が施された釘であっても、釘間隔を正確に測定することができる釘間隔測定用ゲージを提供する。【解決手段】釘間隔測定用ゲージ２を、ベース板３と、測定板４と、２本の連結柱５とから構成する。ベース板３は矩形状の板であって、高い平坦度で製作された当接面３ａを有する。測定板４は、当接面３ａに平行な矩形状の板であり、当接面３ａに離間して設けられている。釘間隔の測定時には、当接面３ａを隣り合う釘１２の先端面１２ｃに当てるとともに、測定板４の両端面４ａを隣り合う釘１２の胴部１２ｂにそれぞれ当てる。【選択図】図２
2008167797.tif 000002
【特許請求の範囲】
【請求項１】
隣り合う釘の頭部に当てられる平坦な当接面を有するベース板と、
前記隣り合う釘の間に差し込まれて、幅方向での両端部が、前記隣り合う釘の胴部にそれぞれ当てられる測定板と、
前記当接面から前記測定板を離間させて、前記ベース板と前記測定板とを連結する連結部とを備えたことを特徴とする釘間隔測定用ゲージ。
【請求項２】
前記測定板は、前記隣り合う釘への差し込み方向に延びて、先端に向かうにしたがって幅が狭くなっており、この測定板には、前記差し込み方向における各位置での幅を示す目盛りが表示されていることを特徴とする請求項１記載の釘間隔測定用ゲージ。
【発明の詳細な説明】
【技術分野】
【０００１】
本発明は、パチンコ機の遊技盤面に設けられる釘の間隔を測定する釘間隔測定用ゲージに関する。
【背景技術】
【０００２】
パチンコ機の遊技盤面に設けられた釘の間隔を測定する釘間隔測定用ゲージが知られている。特許文献１記載の釘間隔測定用ゲージは、先端に向かうにしたがって幅が狭くなるように形成された板状のゲージ部を有し、このゲージ部を隣り合う釘の間に差し込んで、釘が当接した位置に記されている目盛りを読み取ることにより、釘間隔を測定している。また、特許文献２記載の釘間隔測定用ゲージは、く字状に形成され、その先端が幅一定のゲージ部になっており、このゲージ部を隣り合う釘の間に差し込んで、ゲージ部の幅と釘間隔とを比較して測定することができる。
【０００３】
釘は頭部と胴部とからなるが、従来では、パチンコ機に用いる釘としては、頭部の付け根部分（かさ下部分）が直角になっているものを使用するのが一般的であった。そして、上記特許文献１及び２記載の釘間隔測定用ゲージでは、釘の頭部の付け根部分を測定位置とし、ゲージ部を頭部の付け根部分に当てて釘間隔を測定していた。
【特許文献１】実登第３０２７９８７号公報
【特許文献２】特開２００３−４７７０４号公報
【発明の開示】
【発明が解決しようとする課題】
【０００４】
しかし、頭部の付け根部分が直角になっている釘を用いた場合には、遊技中に、この頭部の付け根にピアノ線などが引っ掛けられ、ピアノ線を引っ張って釘を曲げて釘間隔を広げる、いわゆる釘曲げゴトが行われるという問題があった。この問題の解決のために、釘の頭部の付け根部分にフィレット加工を施すことにより、ピアノ線が引っ掛からないようにすることが考えられる。しかしながら、フィレット加工が施された釘を用いた場合には、上記特許文献記載のような従来の釘間隔測定用ゲージでは測定位置が定まらず、釘間隔を測定できないという問題があった。
【０００５】
本発明は、釘の頭部の付け根部分にフィレット加工が施された釘であっても、釘間隔を測定することができる釘間隔測定用ゲージを提供することを目的とする。
【課題を解決するための手段】
【０００６】
本発明は、隣り合う釘の頭部に当てられる平坦な当接面を有するベース板と、前記隣り合う釘の間に差し込まれて、幅方向での両端面が、前記隣り合う釘の胴部にそれぞれ当てられる測定板と、前記当接面から前記測定板を離間させて、前記ベース板と前記測定板とを連結する連結部とを備えたことを特徴とする。
【０００７】
前記測定板は、前記隣り合う釘への差し込み方向に延びて、先端に向かうにしたがって幅が狭くなっており、この測定板には、前記差し込み方向における各位置での幅を示す目盛りが表示することが好ましい。
【発明の効果】
【０００８】
本発明の釘間隔測定用ゲージによれば、釘の頭部から所定距離離れた位置に測定板を当てるので、釘の頭部の付け根部分にフィレット加工が施された釘であっても、釘間隔を測定することができる。
【０００９】
測定板の幅を差し込み方向で変えるとともに、この測定板に目盛りを表示した場合には、幅が異なる複数種類の釘間隔測定用ゲージを用いることなく、１つの釘間隔測定用ゲージだけで広い測定域をカバーすることができる。
【発明を実施するための最良の形態】
【００１０】
［第１実施形態］
図１に示すように、釘間隔測定用ゲージ２は、ベース板３と、測定板４と、ベース板３と測定板４とを連結する２本の連結柱５とから構成される。この釘間隔測定用ゲージ２は、一体に形成されており、その材料には例えば金属や、温度変化によって伸縮がしにくい樹脂などを用いる。
【００１１】
ベース板３は、矩形状の厚み一定の板であって、測定板４と対面する面が当接面３ａになっている。この当接面３ａは、高い平坦度で製作されている。２本の連結柱５は、それぞれ当接面３ａの中央部から垂直に延びており、ベース板３の長手方向に並べられている。
【００１２】
測定板４は、矩形状の厚み一定の板であって、２本の連結柱５を介して当接面３ａから離間して設けられている。測定板４は当接面３ａに対して平行である。測定板４の長手方向を幅方向としたときに、この幅方向での端面（端部）４ａは、それぞれ当接面３ａに対して垂直な関係、かつ幅方向に対して垂直な関係になっている。測定板４は、その幅が設定した長さＬ１（例えば１０ｍｍ）になっており、上下方向における各位置で幅が同じになっている。
【００１３】
上記構成の釘間隔測定用ゲージ２を用いた測定作業について以下に説明する。図２に示すように、パチンコ機の遊技盤面１１には釘１２が隣り合って打ち込まれている。釘１２は頭部１２ａと胴部１２ｂを有し、頭部１２ａの付け根部分１２ｄにはフィレット加工が施されている。釘１２の頭部１２ａの先端面１２ｃは、釘１２の軸方向に対して垂直な平面である。
【００１４】
頭部１２ａの付け根部分１２ｄのフィレット加工は、いわゆる釘曲げゴトを防止するためのものである。釘曲げゴトとは、例えば、輪状にしたピアノ線をパチンコ機の隙間から挿入して釘の頭部に引っ掛け、この引っ掛けたピアノ線を引っ張って釘を曲げることによって、遊技球の入賞口への入賞率を上げて、遊技者に有利に遊技を進める違反的な行為をいう。
【００１５】
図２及び図３に示すように、測定時には、ベース板３の当接面３ａを釘１２の先端面１２ｃに軸方向から当てると同時に、測定板４を隣り合う釘１２の間に径方向から（隣り合う釘１２の上から）差し込む。当接面３ａを先端面１２ｃに当てることにより測定位置基準が定まり、これにより、常に、先端面１２ｃから一定距離離れた位置に測定板４を位置させることができる。
【００１６】
測定板４を隣り合う釘１２の間に差し込むことができ、端面４ａがそれぞれ釘１２の胴部１２ｂに接触したときには、釘間隔が長さＬ１であることが分かる。測定板４を隣り合う釘１２の間に差し込むことができ、一方の端面４ａだけが接触したときには、釘間隔が長さＬ１より長いことが分かる。一方、測定板４を隣り合う釘１２の間に差し込むことができなかったときには、釘間隔が長さＬ１より短いことが分かる。このように、測定板４の幅と、釘間隔とを比較することにより、釘間隔を測定することができる。釘間隔の測定結果に基づいて釘間隔の調整作業が行われる。
【００１７】
本発明の釘間隔測定用ゲージ２によれば、フィレット加工が施された釘１２が用いられている場合であっても、釘間隔を簡単に測定することができる。
【００１８】
なお、上記第１実施形態では、釘間隔測定用ゲージ２は幅がＬ１（例えば１０ｍｍ）のもの１種類だけを用いたが、広い測定域をカバーしたい場合には、例えば、幅がＬ２（例えば１１ｍｍ）のものや、幅がＬ３（例えば１２ｍｍ）のものなど、複数種類の釘間隔測定用ゲージを用意して、これらを適宜選択して使用する。
【００１９】
上記第１実施形態では、ベース板３、測定板４、及び２本の連結柱５を一体に形成したが、ベース板３及び２本の連結柱５と、測定板４とを別体で形成し、測定板４を着脱自在に構成してもよい。この場合には、幅が異なる複数種類の測定板を用意し、これらを適宜選択して装着して測定を行うことが好ましい。
【００２０】
［第２実施形態］
図４に示すように、第２実施形態の釘間隔測定用ゲージ１０２は、ベース板１０３と、測定板１０４と、２本の連結柱１０５とから構成される。連結柱１０５は、第１実施形態の連結柱５と同様のものである。
【００２１】
測定板１０４は、第１実施形態の測定板４を、幅方向に直交する下方向に延ばすとともに、下に（先端に）向かうにしたがって幅が狭くなるように形成したものである。測定板１０４には、上下方向における各位置での幅を示す目盛り１０６、及びこの目盛り１０６に対応する数値１０７が所定間隔で表示されている。目盛り１０６は、測定板の前面１０４ａ、側面（端面）１０４ｂ、及び後面１０４ｃに渡って表示されている。また、数値１０７は、測定板１０４の前面１０４ａに表示されている。
【００２２】
ベース板１０３は、第１実施形態のベース板３を下方向に延ばしたものであり、このベース板１０３は測定板１０４に対面する領域まで延ばされている。ベース板１０３には、ベース板１０３の中央領域から下領域にかけて、開口１０８が形成されている。この開口１０８は、測定時に、測定板１０４の前面１０４ａを視認させて、目盛り１０６を読取り易くするためのものである。
【００２３】
この釘間隔測定用ゲージ１０２を用いた測定作業では、図５に示すように、まず、釘１２の先端面１２ｃにベース板１０３の当接面１０３ａに当ててから、次に、当接面１０３ａを先端面１２ｃに摺動させながら測定板１０４を隣り合う釘１２の間に差し込んでゆく。そして、測定板１０４の両側面１０４ｂが釘１２の胴部１２ｂに当たるところで移動を停止させて、測定板１０４において、釘１２の胴部１２ｂが接触している位置における目盛り１０６を読み取る。
【００２４】
この釘間隔測定用ゲージ１０２によれば、複数種類の釘間隔測定用ゲージを要することなく、１つの釘間隔測定用ゲージだけで、広い測定域をカバーすることができる。
【００２５】
なお、上記第２実施形態では、ベース板１０３及び測定板１０４は平行であったが、図６に示すように、測定板１０４を、下方に向かうにしたがってベース板１０３に近づくように傾斜させてもよい。これにより、図中一点鎖線で示したように上方からでも測定板１０４の前面１０４ａが見やすくなり、目盛り１０６が読取り易くなる。なお、ベース板１０３に開口１０８を形成する替わりに、ベース板１０３の一部又は全体を透明な材料で形成してもよい。
【００２６】
なお、上記第１及び第２実施形態では、連結部を２本の連結柱から構成したが、連結部は釘間隔測定時に釘に干渉しないものであれば任意の形状でよい。また、測定板の幅方向での端面は平面であったが、必ずしも平面である必要はなく、例えば断面半円状の曲面であってもよい。
【図面の簡単な説明】
【００２７】
【図１】本発明の釘間隔測定用ゲージの外観斜視図である。
【図２】釘間隔測定用ゲージの使用例を示す上面図である。
【図３】釘間隔測定用ゲージの使用例を示す側面図である。
【図４】先端に向かうにしたがって幅が狭くなる測定板を有する釘間隔測定用ゲージの外観斜視図である。
【図５】先端に向かうにしたがって幅が狭くなる測定板を有する釘間隔測定用ゲージの使用例を示す側面図である。
【図６】先端に向かうにしたがってベース板に近づくように傾斜した測定板を有する釘間隔測定用ゲージの使用例を示す側面図である。
【符号の説明】
【００２８】
２，１０２  釘間隔測定用ゲージ
３，１０３  ベース板
３ａ，１０３ａ  当接面
４，１０４  測定板
４ａ，１０４ｂ  端面
５，１０５  連結柱
１２  釘
１２ａ  頭部
１２ｂ  胴部
【図１】
2008167797.tif 000003
【図２】
2008167797.tif 000004
【図３】
2008167797.tif 000005
【図４】
2008167797.tif 000006
【図５】
2008167797.tif 000007
【図６】
2008167797.tif 000008